(57)【要約】【課題】コストや重量などの増加と耐久性の低下とを招くことなく、マウントの電気的な安全性を高める。【解決手段】本体側マウント１８には、外部接点２６と内部接点４２とからなる本体側負極用接点４３が設けられている。外部接点２６は、マウントバリア２２の裏面と係合する切片２６ａによって、マウントバリア２２の表面に取り付けられる。内部接点４２には、マウントバリア２２が開放位置に移動した際に、マウントバリア２２に形成されたピン用貫通孔２２ａに進入して外部接点２６の裏面に接触する接触ピン４２ｂが設けられている。レンズ側マウントを本体側マウント１８に取り付けると、レンズ側マウントの背面に設けられたレンズ側負極用接点と外部接点２６とが接触するとともに、外部接点２６と内部接点４２とが接触し、レンズユニットとカメラ本体との電源の負極が接続される。【選択図】図４
2007241054.tif 000002
【特許請求の範囲】
【請求項１】
被写体像を結像する撮影レンズと、この撮影レンズが結像した被写体像を光電変換する撮像素子と、略柱状に形成されたレンズ側マウントと、このレンズ側マウントの背面に設けられたレンズ側接点とを有するレンズユニットと、
前記レンズ側マウントを着脱自在に保持する略穴状の本体側マウントと、この本体側マウントに挿入された前記レンズ側マウントの前記レンズ側接点と接触して前記レンズユニットとの電気的接続を得る本体側接点とを有するカメラ本体とからなるカメラシステムにおいて、
前記カメラ本体に、前記本体側マウントの開口を塞ぐ閉鎖位置と前記本体側マウントの内部に押し込められて前記開口を開放する開放位置との間で移動する略板状の蓋部材と、この蓋部材を前記閉鎖位置側に付勢する弾性体とを設け、
前記本体側接点を、前記蓋部材の裏面と係合する複数の切片によって前記蓋部材の表面に取り付けられる外部接点と、前記蓋部材が前記開放位置に移動した際に前記蓋部材の裏面側から前記外部接点に接触する内部接点とで構成し、
前記レンズ側マウントが、前記蓋部材を前記開放位置に移動させながら前記本体側マウントに挿入される際に、前記レンズ側接点と前記外部接点とを接触させるとともに、前記外部接点と前記内部接点とを接触させることによって、前記カメラ本体と前記レンズユニットとの電気的接続を得るようにしたことを特徴とするカメラシステム。
【請求項２】
前記蓋部材には、前記各切片に対応した複数の切片用貫通孔が形成されており、
前記各切片は、前記蓋部材の表面側から前記各切片用貫通孔に挿通された後、前記蓋部材の裏面側で折り曲げられることによって前記蓋部材の裏面と係合することを特徴とする請求項１記載のカメラシステム。
【請求項３】
前記内部接点は、前記蓋部材の裏面に向けて突設された略棒状の接触ピンを有し、
前記蓋部材は、前記接触ピンと対面する位置に形成されたピン用貫通孔を有し、
前記内部接点は、前記蓋部材が前記開放位置に移動した際に、前記接触ピンを前記ピン用貫通孔に進入させ、前記外部接点の裏面に前記接触ピンの先端を接触させることによって、前記蓋部材の裏面側から前記外部接点と接触することを特徴とする請求項１又は２記載のカメラシステム。
【請求項４】
前記内部接点は、前記蓋部材が前記開放位置に移動した際に、前記蓋部材の裏面と係合した前記各切片の少なくとも１つと接触し、前記各切片を介して前記蓋部材の裏面側から前記外部接点と接触することを特徴とする請求項１又は２記載のカメラシステム。
【請求項５】
前記本体側接点と前記レンズ側接点とが、前記カメラ本体と前記レンズユニットとのそれぞれの電源の負極の接続に用いられることを特徴とする請求項１から４のいずれか１項に記載のカメラシステム。
【請求項６】
前記レンズユニットは、電気信号の送受に用いられる複数の接点からなるレンズ側コネクタ部を前記レンズ側接点とは別に有し、
前記カメラ本体は、前記本体側マウントが前記レンズ側マウントを保持した際に前記レンズ側コネクタ部と接触する本体側コネクタ部を前記本体側接点とは別に有することを特徴とする請求項１から５のいずれか１項に記載のカメラシステム。
【請求項７】
前記本体側マウントと前記レンズ側マウントとは、前記レンズ側マウントを前記本体側マウントに挿入した後、前記レンズユニットを前記撮影レンズの光軸回りに回転させて、前記本体側マウントに形成された複数の本体側爪部と前記レンズ側マウントに形成された複数のレンズ側爪部とを係合させるバヨネット式のマウントであり、
前記レンズ側コネクタ部を、前記各レンズ側爪部に形成するとともに、
前記本体側コネクタ部を、前記各本体側爪部と前記各レンズ側爪部とが係合した際に、前記レンズ側コネクタ部と接触するようにしたことを特徴とする請求項６記載のカメラシステム。
【発明の詳細な説明】
【技術分野】
【０００１】
本発明は、撮影レンズと撮像素子とを有するレンズユニットと、このレンズユニットを着脱自在に保持するカメラ本体とからなるカメラシステムに関する。
【背景技術】
【０００２】
被写体像をＣＣＤイメージセンサなどの撮像素子で撮像してデジタルの画像データに変換し、内蔵メモリやメモリカードなどの記録媒体に記録するデジタルカメラの普及が進んでいる。近頃では、撮影レンズをレンズユニットとして着脱自在にすることにより、異なるレンズ特性を容易に得られるようにしたレンズ交換式の機種も多く販売されるようになってきている。
【０００３】
レンズ交換式のデジタルカメラでは、レンズユニットの交換時に塵埃などがカメラ本体内に侵入してしまうことがある。カメラ本体内に侵入した塵埃などは、撮像素子の撮像面などに付着し、画質の劣化や故障の要因となってしまう。これを防止するため、撮像素子をレンズユニット側に設けることによって、撮像素子を露呈させずに撮影レンズの交換を行えるようにしたカメラシステムが、例えば、特許文献１などで提案されている。
【０００４】
特許文献１記載のカメラシステムでは、いわゆるバヨネット式のマウントを採用しており、本体側に設けられたバヨネット爪とレンズ側に設けられたバヨネット爪とを係合させることによって、レンズユニットをカメラ本体に取り付けるようにしている。また、各マウントには、撮像素子を駆動するための電源や各種の制御信号などを送受するための複数の接点が設けられており、各バヨネット爪を係合させた際に、各接点を接触させてレンズユニットとカメラ本体とが電気的にも接続されるようにしている。
【０００５】
また、特許文献１記載のカメラシステムでは、カメラ本体がレンズユニットに供給する電源の負極用の接点を、レンズユニットが取り付けられていない状態のときに本体側マウントの開口を塞ぐマウントバリアの表面に設けている。これにより、レンズユニットを取り付ける際に、電源の負極（いわゆるグランド）が一番最初に接続されるようになるので、各接点間に生じた静電気に起因するサージ電流によって、カメラ本体やレンズユニットの内部回路が破損してしまうことを防ぐことができる。
【特許文献１】特開２００５−３１６４３７号公報
【発明の開示】
【発明が解決しようとする課題】
【０００６】
特許文献１記載のカメラシステムでは、マウントバリアを前面側（開口を塞ぐ方向）に付勢するバネによって、負極用の接点と内部回路との導通を得るようにしている。このため、レンズユニットを取り付けていない場合には、常に負極が露呈した状態となってしまい、電源のショートや過大な逆電流の流入による内部回路の破損などといった電気的な不具合が発生しやすいという問題があった。
【０００７】
この対策としては、例えば、マウントバリアに貫通孔を形成し、この貫通孔を塞ぐようにマウントバリアの表面に外部接点を貼り付けるとともに、マウントバリアが押し込められたときに貫通孔に挿通されるピン状の内部接点を設け、レンズユニットの取り付けによってマウントバリアが押し込められたときにだけ、外部接点と内部接点とを接触させて負極を導通させるようにすることが考えられる。しかしながら、単に貼り付けただけでは、内側からピン状の内部接点を接触させた際に、外部接点がマウントバリアから剥がれてしまうなど、接点の耐久性の低下が懸念される。
【０００８】
また、マウントバリア自体を金属などの導電性のある材料で成形し、マウントバリアが押し込められたときにマウントバリアの裏面に内部接点を接触させることによって、負極を導通させることも考えられるが、マウントバリアを金属などで成形すると、コストや重量を増加させる要因となってしまう。
【０００９】
本発明は、上記課題を鑑みてなされたものであって、コストや重量などの増加と耐久性の低下とを招くことなく、マウントの電気的な安全性を高めることを目的とする。
【課題を解決するための手段】
【００１０】
上記課題を達成するため、本発明のカメラシステムは、被写体像を結像する撮影レンズと、この撮影レンズが結像した被写体像を光電変換する撮像素子と、略柱状に形成されたレンズ側マウントと、このレンズ側マウントの背面に設けられたレンズ側接点とを有するレンズユニットと、前記レンズ側マウントを着脱自在に保持する略穴状の本体側マウントと、この本体側マウントに挿入された前記レンズ側マウントの前記レンズ側接点と接触して前記レンズユニットとの電気的接続を得る本体側接点と、前記本体側マウントの開口を塞ぐ閉鎖位置と前記本体側マウントの内部に押し込められて前記開口を開放する開放位置との間で移動する略板状の蓋部材と、この蓋部材を前記閉鎖位置側に付勢する弾性体とを有するカメラ本体とからなり、前記本体側接点を、前記蓋部材の裏面と係合する複数の切片によって前記蓋部材の表面に取り付けられる外部接点と、前記蓋部材が前記開放位置に移動した際に前記蓋部材の裏面側から前記外部接点に接触する内部接点とで構成し、前記レンズ側マウントが、前記蓋部材を前記開放位置に移動させながら前記本体側マウントに挿入される際に、前記レンズ側接点と前記外部接点とを接触させるとともに、前記外部接点と前記内部接点とを接触させることによって、前記カメラ本体と前記レンズユニットとの電気的接続を得るようにしたことを特徴とする。
【００１１】
なお、前記蓋部材には、前記各切片に対応した複数の切片用貫通孔が形成され、前記各切片は、前記蓋部材の表面側から前記各切片用貫通孔に挿通された後、前記蓋部材の裏面側で折り曲げられることによって前記蓋部材の裏面と係合することが好ましい。
【００１２】
また、前記内部接点は、前記蓋部材の裏面に向けて突設された略棒状の接触ピンを有し、前記蓋部材は、前記接触ピンと対面する位置に形成されたピン用貫通孔を有し、前記内部接点は、前記蓋部材が前記開放位置に移動した際に、前記接触ピンを前記ピン用貫通孔に進入させ、前記外部接点の裏面に前記接触ピンの先端を接触させることによって、前記蓋部材の裏面側から前記外部接点と接触することが好ましい。
【００１３】
さらに、前記内部接点は、前記蓋部材が前記開放位置に移動した際に、前記蓋部材の裏面と係合した前記各切片の少なくとも１つと接触し、前記各切片を介して前記蓋部材の裏面側から前記外部接点と接触するものであってもよい。
【００１４】
なお、前記本体側接点と前記レンズ側接点とは、前記カメラ本体と前記レンズユニットとのそれぞれの電源の負極の接続に用いられることが好ましい。
【００１５】
また、前記レンズユニットは、電気信号の送受に用いられる複数の接点からなるレンズ側コネクタ部を前記レンズ側接点とは別に有し、前記カメラ本体は、前記本体側マウントが前記レンズ側マウントを保持した際に前記レンズ側コネクタ部と接触する本体側コネクタ部を前記本体側接点とは別に有することが好ましい。
【００１６】
さらに、前記本体側マウントと前記レンズ側マウントとを、前記レンズ側マウントを前記本体側マウントに挿入した後、前記レンズユニットを前記撮影レンズの光軸回りに回転させて、前記本体側マウントに形成された複数の本体側爪部と前記レンズ側マウントに形成された複数のレンズ側爪部とを係合させるバヨネット式のマウントとし、前記レンズ側コネクタ部を、前記各レンズ側爪部に形成するとともに、前記本体側コネクタ部を、前記各本体側爪部と前記各レンズ側爪部とが係合した際に、前記レンズ側コネクタ部と接触するようにすることが好ましい。
【発明の効果】
【００１７】
本発明のカメラシステムでは、本体側接点を、蓋部材の表面に取り付けられる外部接点と、蓋部材が開放位置に移動した際に蓋部材の裏面側から外部接点に接触する内部接点とで構成した。レンズ側マウントが本体側マウントに挿入されていない状態では、弾性体によって蓋部材が閉鎖位置に保持され、内部接点と外部接点との接触が外れるので、本体側マウントの電気的な安全性を高めることができる。また、蓋部材に、プラスチックなどの比較的安価な樹脂材料を用いることができるので、コストや重量などの増加を招くことがない。さらに、外部接点を、蓋部材の裏面と係合する複数の切片によって取り付けるようにしたので、蓋部材の裏面側から内部接点を接触させた際にも外部接点が外れる心配がなく、本体側マウントの耐久性の低下を招くこともない。
【発明を実施するための最良の形態】
【００１８】
図１は、カメラシステム１０の構成を概略的に示す斜視図である。カメラシステム１０は、カメラ本体１１とレンズユニット１２とから構成されている。レンズユニット１２は、前面に露呈した撮影レンズ１３と、この撮影レンズ１３が結像した被写体像を光電変換するＣＣＤ（撮像素子）１４とを有している。カメラ本体１１は、レンズユニット１２を着脱自在に保持し、種々の制御信号を送受してＣＣＤ１４などを駆動することにより、被写体像に応じたデジタルの画像データを取得する。
【００１９】
また、レンズユニット１２は、例えば、撮影レンズ１３の焦点距離が異なるもの、ＣＣＤ１４の画素数が異なるもの、モノクロ撮影が可能なもの、赤外線撮影が可能なものなど、複数種類のものが予め用意される。カメラシステム１０は、これらの各レンズユニット１２を選択的にカメラ本体１１に装着することにより、撮影状況に適した画像データを容易に得られるようにしている。
【００２０】
カメラ本体１１の上面には、カメラシステム１０に撮影の実行を指示するレリーズボタン１５と、静止画撮影を行う撮影モードと撮影した画像を再生表示する再生モードとの切り替えを行うためのモード切替ダイヤル１６とが設けられている。また、カメラ本体１１の前面には、撮影実行に応じて被写体を照射するストロボ発光部１７と、レンズユニット１２を保持する略有底穴状の本体側マウント１８と、この本体側マウント１８に保持されたレンズユニット１２を取り外す際に操作されるロック解除ボタン１９とが設けられている。
【００２１】
レンズユニット１２の背面には、本体側マウント１８に対応して形成された略円柱状のレンズ側マウント３０が設けられている。各マウント１８、３０のそれぞれには、１２０度間隔で配された３つの爪部２０、３１が形成されている。各マウント１８、３０は、いわゆるバヨネット式のマウント機構であって、レンズ側マウント３０を本体側マウント１８に挿入した後、光軸回りに回転させて各爪部２０、３１を係合させることにより、レンズユニット１２がカメラ本体１１に保持される。なお、本例では、各マウント１８、３０のそれぞれに３つの爪部２０、３１を形成しているが、各爪部２０、３１の数は、これに限ることなく、２つ以上であればいくつであってもよい。
【００２２】
本体側マウント１８の各爪部２０は、カメラ本体１１の外装ケースに取り付けられるリング部材２１と一体に成形されている。このリング部材２１は、例えば、ステンレスや真鍮などといった金属材料で成形される。一方、カメラ本体１１の外装ケースは、プラスチックなどの樹脂材料で成形される。これにより、各爪部２０の加工精度と機械的な強度とを保ったまま、カメラ本体１１のコストダウンを図ることができる。なお、これに限ることなく、リング部材２１と外装ケースとを一体で成形するようにしてもよい。
【００２３】
また、本体側マウント１８には、マウントバリア（蓋部材）２２とロックピン２３とが設けられている。略円板状のマウントバリア２２は、本体側マウント１８内に前後動自在に取り付けられており、レンズユニット１２が取り付けられていないときに本体側マウント１８の開口を内側から塞いでカメラ本体１１内に塵埃などが侵入することを防止する閉鎖位置と、レンズユニット１２を取り付ける際に本体側マウント１８内に押し込まれて本体側マウント１８の開口を開放する開放位置との間で移動する。マウントバリア２２は、本体側マウント１８内に設けられたバネによって前面側に付勢されており、レンズユニット１２が取り付けられていないときには、閉鎖位置に保持される。また、このマウントバリア２２は、軽量化やコストダウンを図るため、プラスチックなどといった導電性のない樹脂材料で成形されている。
【００２４】
ロックピン２３は、レンズユニット１２がカメラ本体１１に保持された際に、レンズユニット１２の背面に形成されたピン孔３２（図２参照）と係合してレンズユニット１２の回転を規制し、レンズユニット１２が不用意にカメラ本体１１から脱落することを防止するとともに、レンズユニット１２の光軸回りの位置を正確に決める。
【００２５】
ロックピン２３とピン孔３２との係合は、ロック解除ボタン１９を押圧操作することによって解除される。ロック解除ボタン１９を押圧操作すると、この操作に連動してロックピン２３がカメラ本体１１内に退避し、ロックピン２３とピン孔３２との係合が解除される。これにより、レンズユニット１２の回転が許容され、レンズユニット１２のカメラ本体１１からの取り外しが可能になる。
【００２６】
図２は、レンズユニット１２を背面方向から見た斜視図である。レンズ側マウント３０の各爪部３１の背面には、カメラ本体１１との電気的接続を得るためのレンズ側接点群（レンズ側コネクタ部）３３が設けられている。各レンズ側接点群３３は、平板状に形成された複数（本例では、８つ）の接点３３ａを有している。各接点３３ａは、レンズユニット１２を制御する内部回路に接続され、例えば、電源の正極の印加や各種の制御信号の送受などに用いられる。また、レンズ側マウント３０の背面中央には、レンズユニット１２の電源の負極に接続された略円板状のレンズ側負極用接点（レンズ側接点）３４が設けられている。なお、当然であるが、各接点３３ａ、及びレンズ側負極用接点３４は、各接点同士がそれぞれ絶縁された状態でレンズ側マウント３０に設けられている。
【００２７】
図３は、マウントバリア２２を開放位置に移動させた状態を示す説明図である。本体側マウント１８の各爪部２０の奥には、保持したレンズ側マウント３０の各レンズ側接点群３３と接触する本体側接点群（本体側コネクタ部）２５が設けられている。各本体側接点群２５は、レンズ側マウント３０が取り付けられた際に、レンズ側マウント３０の爪部３１を爪部２０と挟持するようにして、各レンズ側接点群３３に接触する。また、各本体側接点群２５は、各レンズ側接点群３３の各接点３３ａに対応した複数の接点２５ａを有している。各接点２５ａは、板バネ状に成形されており、レンズ側マウント３０が取り付けられた際に弾性変形して、各レンズ側接点群３３との接触状態を安定させる。なお、図３では、本体側接点群２５の構成を分かりやすくするため、爪部２０の一部を切り欠いて図示している。
【００２８】
本体側マウント１８には、レンズ側負極用接点３４との導通を得るための本体側負極用接点４３（図４参照）が設けられている。マウントバリア２２の表面中央には、本体側負極用接点４３の一部をなす外部接点２６が設けられている。レンズ側負極用接点３４に合わせて略円板状に形成された外部接点２６は、マウントバリア２２が開放位置に移動した際に、カメラ本体１１の電源の負極と接続されるように構成されている。これにより、レンズ側マウント３０を本体側マウント１８に取り付けることで、外部接点２６とレンズ側負極用接点３４とを介してカメラ本体１１とレンズユニット１２との電源の負極が接続され、各電源のグランド電位が合わせられる。
【００２９】
このように、カメラ本体１１とレンズユニット１２とは、各マウント１８、３０を介して機械的、かつ電気的に接続される。カメラ本体１１は、各接点群２５、３３のいずれかの接点２５ａ、３３ａに設定された各正極用接点と、各負極用接点３４、４３とを介してレンズユニット１２に電力を供給するとともに、各接点群２５、３３を介して種々の制御信号や画像データなどの電気信号をレンズユニット１２と送受する。なお、電力は、レンズユニット１２からカメラ本体１１に供給されるものであってもよい。また、各々に電源を設け、グランド電位を合わせるためだけに各負極用接点を接続するようにしてもよい。
【００３０】
図４は、本体側マウント１８の内部構成を概略的に示す説明図である。本体側マウント１８の各部は、略有底円筒状のマウントホルダ４０に組み込まれる。マウントホルダ４０は、カメラ本体１１の外装ケースに内側から取り付けられるか、あるいは、カメラ本体１１の外装ケースと一体に成形される。マウントバリア２２は、マウントホルダ４０の内径よりも一回り小さくされており、マウントホルダ４０に組み込まれて、図４（ａ）に示す閉鎖位置と、図４（ｂ）に示す開放位置との間で前後動する。また、マウントバリア２２の外径は、リング部材２１の内径（開口部分）よりも僅かに大きくされており、リング部材２１との係合によってマウントホルダ４０から抜け出ることが防止される。
【００３１】
マウントバリア２２とマウントホルダ４０との間には、マウントバリア２２を閉鎖位置側に付勢するバネ（弾性体）４１が設けられている。バネ４１は、レンズユニット１２が取り付けられていない状態のときに、マウントバリア２２とリング部材２１とを係合させて、マウントバリア２２を閉鎖位置に保持する。また。バネ４１は、レンズユニット１２が取り付けられた状態のときに、レンズ側マウント３０を押圧して各爪部３１を本体側マウント１８の各爪部２０に押し当て、各爪部２０、３１の係合状態を安定させる。なお、図４では、１つのバネ４１のみが図示されているが、実際には、マウントバリア２２が傾くことなく均一に付勢されるように、各爪部３１に合わせた３つのバネ４１が略正三角形状に配置されている。但し、バネ４１の数は、３つに限ることなく、マウントバリア２２を均一に付勢できるものであれば、いくつであってもよい。また、マウントバリア２２の傾きを防止するため、マウントバリア２２にスライドベアリングなどによるスライドガイドを設けるようにしてもよい。
【００３２】
また、本体側マウント１８には、マウントバリア２２の表面に取り付けられた外部接点２６と、マウントホルダ４０の内底面に取り付けられた内部接点４２とからなる本体側負極用接点（本体側接点）４３が設けられている。内部接点４２には、板バネ状に形成された端子部４２ａと、この端子部４２ａの先端からマウントバリア２２の裏面に向けてに突設された接触ピン４２ｂとが形成されている。接触ピン４２ｂは、マウントバリア２２の厚みよりも長くされている。この内部接点４２は、カメラ本体１１の内部回路に直接実装されるか、あるいは電線などを介して配線されることにより、内部回路の電源の負極に接続されている。また、マウントバリア２２には、接触ピン４２ｂと対面する位置に、接触ピン４２ｂを挿通させるためのピン用貫通孔２２ａが形成されている。
【００３３】
内部接点４２は、図４（ｂ）に示すように、マウントバリア２２が開放位置に移動した際に、接触ピン４２ｂをピン用貫通孔２２ａに挿通して、接触ピン４２ｂの先端を外部接点２６の裏面に接触させる。このように、カメラ本体１１の電源の負極と外部接点２６との接続は、内部接点４２を介して行われる。また、内部接点４２は、接触ピン４２ｂと外部接点２６とを接触させた際に、端子部４２ａを弾性変形させて、接触ピン４２ｂと外部接点２６との接触状態を安定させる。
【００３４】
図５は、マウントバリア２２と本体側負極用接点４３との構成を説明する裏面側から見た斜視図である。略円板状に形成された外部接点２６には、放射状に突出した３つの切片２６ａが形成されている。マウントバリア２２には、各切片２６ａに位置及び形状が合わせられた３つの切片用貫通孔２２ｂが形成されている。外部接点２６は、図５（ｂ）に示すように、マウントバリア２２の表面側から各切片２６ａを各切片用貫通孔２２ｂに挿通した後、マウントバリア２２の裏面と係合するように各切片２６ａを折り曲げることによって、マウントバリア２２に取り付けられる。このため、外部接点２６の材料としては、導電性と弾性とを有する、銅やアルミニウムなどの金属材料を用いることが好適である。
【００３５】
図５に示すように、内部接点４２の端子部４２ａと接触ピン４２ｂとは、それぞれ内部接点４２に３つずつ形成されている。また、これに対応して、ピン用貫通孔２２ａもマウントバリア２２に３つ形成されており、内部接点４２は、マウントバリア２２が開放位置に移動した際に、外部接点２６と３箇所で接触する。内部接点４２は、略円形の金属板を基に、いわゆる板金加工で成形されるものであり、例えば、各端子部４２ａは、金属板に切れ込みを入れ、屈曲させることによって形成される。
【００３６】
なお、本例では、各切片２６ａや各端子部４２ａなどの数を、各爪部２０、３１に合わせて３つとしているが、これらの数は、上記に限るものではない。例えば、各切片２６ａは、マウントバリア２２への取り付けが行えるように、少なくとも２つ設けられていればよい。また、各端子部４２ａと接触ピン４２ｂとは、外部接点２６との接触が得られるように、それぞれ少なくとも１つずつ設けられていればよい。但し、各端子部４２ａと接触ピン４２ｂとは、本例のように複数設けることにより、例えば、接触ピンの接触不良による不具合の発生頻度を抑えることなどができる。
【００３７】
次に、上記構成によるカメラシステム１０の作用について説明する。レンズユニット１２が取り付けられていない状態では、バネ４１の付勢によってマウントバリア２２が閉鎖位置に保持され、カメラ本体１１内への塵埃などの侵入が防止される。この際、マウントバリア２２の表面に取り付けられた外部接点２６は、内部接点４２との接触が離れた状態（図４（ａ）参照）にあるので、電源の負極が露呈することなく、電源のショートや過大な逆電流の流入などといった電気的な不具合の発生を抑えることができる。
【００３８】
レンズユニット１２をカメラ本体１１に取り付ける際には、まず、各爪部２０、３１の位置を合わせるとともに、レンズ側負極用接点３４と外部接点２６とを接触させ、マウントバリア２２を開放位置に移動させながらレンズ側マウント３０を本体側マウント１８に挿入する。レンズ側マウント３０の挿入に応じてマウントバリア２２が閉鎖位置から開放位置に移動すると、内部接点４２の接触ピン４２ｂが、マウントバリア２２に形成されたピン用貫通孔２２ａ内に進入し、外部接点２６と内部接点４２とが接触する（図４（ｂ）参照）。これにより、外部接点２６とレンズ側負極用接点３４、及び外部接点２６と内部接点４２との接触によってカメラ本体１１とレンズユニット１２との各電源の負極が接続される。
【００３９】
この際、各切片２６ａをマウントバリア２２の裏面と係合するように折り曲げることによって、外部接点２６をマウントバリア２２に取り付けるようにしたので、内側から接触ピン４２ｂを接触させた際にも、外部接点２６がマウントバリア２２から外れる心配がない。また、マウントバリア２２に、樹脂材料などを用いることができるので、コストや重量などの増加を招く心配もない。なお、各切片２６ａによって外部接点２６をマウントバリア２２に取り付けるとともに、接着などを併用して、外部接点２６の外れを、より確実に防止するようにしてもよい。
【００４０】
レンズ側マウント３０を本体側マウント１８に挿入した後、レンズユニット１２を光軸回りに回転させると、各爪部２０、３１が係合するとともに、ロックピン２３とピン孔３２とが係合し、レンズユニット１２がカメラ本体１１に機械的に保持される。また、これと同時に、カメラ本体１１に設けられた本体側接点群２５とレンズユニット１２に設けられたレンズ側接点群３３とが接触し、カメラ本体１１とレンズユニット１２とが電気的にも接続される。
【００４１】
このように、電源の正極や各種の制御信号などに用いられる各接点群２５、３３に先んじて、各負極用接点３４、４３を接触させるようにしたので、各接点間に生じた静電気に起因するサージ電流によって、カメラ本体１１やレンズユニット１２の内部回路が破損してしまうことを防ぐことができる。以上により、レンズユニット１２のカメラ本体１１への取り付けが完了し、カメラシステム１０が撮影可能な状態となる。
【００４２】
なお、上記実施形態では、接触ピン４２ｂを外部接点２６の裏面に接触させる構成としているが、この構成では、接触ピン４２ｂとの接触によって、外部接点２６の表面が膨らむように変形しまうことが懸念される。これを防止するため、図６に示すように、本体側マウントを構成してもよい。なお、上記実施形態と機能・構成上同一のものについては、同符号を付し、詳細な説明を省略する。
【００４３】
図６に示す本体側マウント６０には、レンズユニット１２が取り付けられていないときに本体側マウント６０の開口を内側から塞いでカメラ本体１１内に塵埃などが侵入することを防止する閉鎖位置（図６（ａ）参照）と、レンズユニット１２を取り付ける際に本体側マウント６０内に押し込まれる開放位置（図６（ｂ）参照）との間で移動するマウントバリア６１が設けられている。また、本体側マウント６０には、マウントバリア６１の表面に取り付けられた外部接点６２と、マウントホルダ４０の内底面に取り付けられた内部接点６３とからなる本体側負極用接点６４が設けられている。
【００４４】
外部接点６２は、マウントバリア６１に形成された貫通孔６１ａに表面側から挿通された後、マウントバリア６１の裏面と係合するように内側に折り曲げられた切片６２ａによって、マウントバリア６１に取り付けられる。なお、本例では、省略しているが、切片６２は、上記実施形態と同様に３つ形成されているものとする。
【００４５】
カメラ本体１１の電源の負極に接続された内部接点６３は、板バネ状に形成された端子部６３ａを有している。内部接点６３は、図６（ｂ）に示すように、マウントバリア６１が開放位置に移動した際に、内側に折り曲げられた切片６２ａに端子部６３ａを接触させることによって、外部接点６２に負極を導通させる。
【００４６】
このように構成された本体側マウント６０では、マウントバリア６１の裏面で切片６２ａと端子部６３ａとを接触させるので、外部接点６２の外れを防止するなど、上記実施形態と同様の効果を得ることができるとともに、外部接点６２の表面に変形が生じることも確実に防止することができる。さらに、マウントバリア６１にピン用の貫通孔を形成する必要がないので、上記実施形態よりも製造コストなどを抑えることができる。
【００４７】
なお、上記各実施形態では、レンズ側マウントの背面に設けられたレンズ側切片とマウントバリアの表面に設けられた本体側切片とを、電源の負極用として用いているが、これらの各接点の用途は、電源の負極に限ることなく、電源の正極や各種の制御信号用などとして用いてもよい。また、これらの各接点は、１つに限ることなく、レンズ側マウントの背面とマウントバリアの表面とに複数設けられていてもよい。
【００４８】
また、上記各実施形態では、マウントバリアを付勢する弾性体としてバネ４１を示しているが、弾性体はバネに限ることなく、例えば、ゴムなどを用いるようにしてもよい。
【００４９】
さらに、上記各実施形態では、本体側コネクタ部とレンズ側コネクタ部として、爪部２０の奥に設けられた本体側接点群２５と爪部３１の背面に設けられたレンズ側接点群３３とを示しているが、これらは、上記に限ることなく、例えば、ピンコネクタとソケットコネクタとからなる一般的な嵌合式のコネクタなどであってもよい。
【００５０】
なお、上記各実施形態では、外部接点の各切片をマウントバリアに形成された各切片用貫通孔に挿通してマウントバリアの裏面と係合させるようにしているが、これに限ることなく、例えば、マウントバリアの縁部分で各切片を折り曲げることによって、マウントバリアの裏面と係合させるようにしてもよい。また、上記各実施形態では、各切片を板状に成形しているが、各切片は、棒状に成形されるものであってもよい。さらに、各切片は、外部接点と一体成形されることなく、別部品で成形された後、ネジ止めやカシメなどによって外部接点に取り付けられるものであってもよい。
【００５１】
また、上記各実施形態では、本体側マウントとレンズ側マウントとに、いわゆるバヨネット式のマウント機構を用いているが、各マウントは、これに限ることなく、例えば、ネジ式のマウントなど、略柱状のレンズ側マウントを略穴状の本体側マウントに挿入して保持するマウントであれば、他の如何なる方式のマウント機構であってもよい。
【図面の簡単な説明】
【００５２】
【図１】カメラシステムの構成を概略的に示す斜視図である。
【図２】レンズユニットを背面方向から見た斜視図である。
【図３】マウントバリアを開放位置に移動させた状態を示す説明図である。
【図４】本体側マウントの内部構成を概略的に示す説明図である。
【図５】マウントバリアと本体側負極用接点との構成を説明する裏面側から見た斜視図である。
【図６】本体側マウントの他の実施形態を概略的に示す説明図である。
【符号の説明】
【００５３】
１０  カメラシステム
１１  カメラ本体
１２  レンズユニット
１３  撮影レンズ
１４  ＣＣＤ（撮像素子）
１８、６０  本体側マウント
２０  爪部（本体側爪部）
２２、６１  マウントバリア（蓋部材）
２２ａ  ピン用貫通孔
２２ｂ、６１ａ  切片用貫通孔
２６、６２  外部接点
２６ａ、６２ａ  切片
３０  レンズ側マウント
３１  爪部（レンズ側爪部）
３３  レンズ側接点群（レンズ側コネクタ部）
３４  レンズ側負極用接点（レンズ側接点）
４１  バネ（弾性体）
４２、６３  内部接点
４２ｂ  接触ピン
４３、６４  本体側負極用接点（本体側接点）
【図１】
2007241054.tif 000003
【図２】
2007241054.tif 000004
【図３】
2007241054.tif 000005
【図４】
2007241054.tif 000006
【図５】
2007241054.tif 000007
【図６】
2007241054.tif 000008